(57)【要約】【課題】簡易な構成で、容易且つ正確に壁面に所望の溝を形成することができる切削用定規を提供する。【解決手段】平板状の起立片３と水平片２とを断面がＬ字型になるように一体化してなり、起立片３の上端に補強板を付設して切削工具のガイド面を形成し、水平片２の底面に脚部を付設して床面の不陸や障害物に対応した構成とする。【選択図】図１
2009052220.tif 000002
【特許請求の範囲】
【請求項１】
平坦な床面から鉛直方向に立ち上がる壁面に水平方向に溝を切削する際に使用される切削用定規であって、
少なくとも平板状の起立片と水平片とを断面がＬ字型になるように一体化してなり、起立片の上端に水平なガイド面が形成されていることを特徴とする切削用定規。
【請求項２】
起立片の上端に補強板が付設され、該補強板の上面が水平でガイド面を形成している請求項１に記載の切削用定規。
【請求項３】
水平片の底面に高さが同じ脚部が溝の切削方向に複数個付設されている請求項１又は２に記載の切削用定規。
【請求項４】
水平片の幅方向自由端側に、作業者の足で押圧しうる押圧面が形成されている請求項１乃至３のいずれかに記載の切削用定規。
【発明の詳細な説明】
【技術分野】
【０００１】
本発明は、軽量気泡コンクリート（ＡＬＣ）パネル等の軽量コンクリートパネルからなる壁面にルータ等の切削工具を用いて水平方向に溝を切削する際に使用する切削用定規に関する。
【背景技術】
【０００２】
従来より、鉄骨とＡＬＣからなる壁パネルとの組み合わせにより構成される鉄骨ＡＬＣ造建物において、陸屋根やベランダ等の平坦な床の防水層を軟質塩化ビニル製の防水シートで構成することが一般的に行われている。
【０００３】
前記床に接して壁が立ち上がる場合、例えば、二階建ての建物の２階の一部がベランダとなっている場合、ベランダの床面への防水シートの取り付けは特許文献１に開示されたような下記の手順で行われる。
（１）壁の下部にルータ等の切削工具を用いて水平に切削加工し溝を形成する。
（２）溝に対して断面稲妻形状の長尺の水切り金物を挿入し固定する。
（３）防水シートをベランダの床面に敷設した後、床面からはみ出た防水シートの周縁部を壁に沿って立ち上げ、その先端を壁の表面に沿って配置された水切り金物の立ち上げ片に対し溶着或いは接着する。
（４）溝にシーリングプライマーを塗布した上でシーリング材を充填する。
【０００４】
上記手順において溝を水平に形成するために、溝の切削ラインに沿って長尺矩形断面の木材をビスや釘等の固定具で固定し、これを定規として切削するのが一般的であった。このような方法によれば、定規に沿って切削工具を操作することによって所定の高さに水平な溝を形成することができる。
【０００５】
一方、ＡＬＣからなる壁パネルに溝を切削形成する技術として、特許文献２にガイド治具が提案されている。このガイド治具は、躯体に取り付けられた壁パネル全体に平行な溝を複数加工する場合に適している。
【０００６】
【特許文献１】特開２００２−２７６１０７号公報
【特許文献２】特開２００４−１２４５３５号公報
【発明の開示】
【発明が解決しようとする課題】
【０００７】
しかしながら、上記した従来の定規の場合、水平を確認する作業や定規を固定具で固定したり、外したりする作業が煩雑であるという問題や、固定具のねじ込みや打ち込み、取り外し等の際に壁の破損に注意を払わなければならないという問題があった。
【０００８】
また、特許文献２に記載されたガイド治具は大がかりで携帯性に欠け、壁面に固定する際にクサビやワイヤー等の保持具を係止するために壁パネル上端に空間を形成したり足場を組む必要があり、その準備が煩雑であった。
【０００９】
本発明の目的は、上記課題を解決し、簡易な構成で、容易且つ正確に壁面に所望の溝を形成することができる切削用定規を提供することにある。
【課題を解決するための手段】
【００１０】
本発明は、平坦な床面から鉛直方向に立ち上がる壁面に水平方向に溝を切削する際に使用される切削用定規であって、
少なくとも平板状の起立片と水平片とを断面がＬ字型になるように一体化してなり、起立片の上端に水平なガイド面が形成されていることを特徴とする。
【００１１】
本発明においては、
起立片の上端に補強板が付設され、該補強板の上面が水平でガイド面を形成していること、
水平片の底面に高さが同じ脚部が溝の切削方向に複数個付設されていること、
水平片の幅方向自由端側に、作業者の足で押圧しうる押圧面が形成されていること、
を好ましい態様として含む。
【発明の効果】
【００１２】
本発明の切削用定規の第１の構成によれば、水平片の底面を床面に、起立片の背面を壁面にそれぞれ当接することにより、切削工具の高さを一定に保持するガイド面が壁面に沿って形成され、このガイド面に沿って切削工具を操作することにより水平な溝を容易に形成することができる。
【００１３】
本発明の切削用定規の第２の構成によれば、ガイド面が補強板によって補強されているので、繰り返しの使用に耐えることができ、係る定規の耐久性が向上する。また、長期間の使用により摩耗或いは変形した補強板を交換することによって、係る定規を半永久的に使用することができる。
【００１４】
本発明の切削用定規の第３の構成によれば、水平片の底面に付設された脚部が床面に当接するため、床面に部分的に障害物がある場合であっても該障害物を避けて（跨いで）係る定規を水平に設置することができる。
【００１５】
本発明の切削用定規の第４の構成によれば、水平片の幅方向自由端側、即ち作業者が相対する正面側に押圧面が形成されているため、係る定規が木材や合成樹脂等の軽量部材で構成されている場合であっても、係る定規を作業者が床面方向或いは壁面方向に足で押圧することによって、該定規の移動を防ぐことができ、正確な切削作業を行うことができる。
【発明を実施するための最良の形態】
【００１６】
本発明の切削用定規について好ましい実施形態を挙げて説明する。
【００１７】
本発明の切削用定規は、主に鉄骨架構とＡＬＣ壁パネルとの組み合わせで構成される鉄骨ＡＬＣ造建物における床面の防水層を軟質塩化ビニル樹脂等からなる防水シートで形成する場合に、床面に敷設した防水シートの立ち上がり端部の処理のための水平な溝を壁面に切削加工により設ける際に使用される定規である。
【００１８】
本発明の切削用定規は、少なくとも平板状の起立片と水平片とを断面がＬ字型になるように一体化してなり、起立片の上端に水平なガイド面が形成されている。係る定規は起立片の背面と水平片の底面とのなす角度が直角であり、起立片の背面を床面から垂直に立ち上がるＡＬＣ壁パネルからなるフラットな壁面に沿って当接させ、水平片をＡＬＣ床パネルやデッキプレート上に打設されたコンクリートスラブ等からなるフラットな床面に沿って置くことにより、ガイド面の位置が固定され、この状態を維持してガイド面に沿ってルータ等の切削工具を水平に操作することによって水平な溝を容易に形成することができる。そして、床面と壁面に沿って該定規を水平方向に移動させて同様の操作を繰り返すことによって所望の長さの水平な溝を連続して形成することができる。
【００１９】
本発明において、起立片は壁面に対し安定して当接する面が構成されていればよく、連続した面であってもよいし、同一平面上であれば複数の面で構成されていてもよい。また、水平片も床面に安定して載置することができればよく、連続した面であってもよいし、同一平面上であれば複数の面で構成されていてもよいが、定規の耐久性や安定性を考慮すれば、起立片と水平片の少なくとも一方は長尺の連続した平板状であることが望ましい。
【００２０】
また、床面の不陸や床面上の障害物に影響を受けず床面に対し安定して当接させる為には、水平片の底面に、高さが同じ脚部が溝の切削方向に複数個付設されていることが好ましい。壁面、床面のいずれにも不陸や障害物がある場合には、水平片を長尺の連続した平板状として底面に脚部を設け、起立片を複数枚の板状としてそれぞれ所定の間隔をあけて水平片に取り付けることで、床面の不陸や障害物は脚部間の間隙で、壁面の障害物は起立片間の間隙で避けることができる。尚、起立片を複数枚とした場合には、後述する補強板として、連続した板状のものを用い、複数枚の起立片の上端面に渡って取り付けることで起立片の上端を安定化することができるため好ましい。
【００２１】
ガイド面は、金属製の刃を有するルータ等の切削工具を沿わせる面であり、床面に当接する水平片の底面或いは脚部底面からの高さが床面から溝の下端までの所定の高さと一致するようにその高さが設定され、水平な面が形成されていることが必須である。ガイド面はその辺縁部が壁面に対し隙間なく接するように構成してもよいし、ルータの安定性が損なわれない範囲で壁面との間に隙間を設けてもよい。係るガイド面としては、起立片に厚みがある場合には、起立片の上端を水平に加工してそのままガイド面としても良いし、また、表面の平滑さを維持するために硬質な補強板で保護されているのが好ましい。起立片の上端に補強板を付設して該補強板の表面をガイド面とすることによって、切削用定規の耐久性が増し、補強板が磨耗或いは変形した際にはこれを交換すれば切削用定規を半永久的に使用することができる。補強板の材料としてはアルミニウムやステンレス鋼等の金属が好ましく、ビス等で着脱可能としておくことが好ましい。
【００２２】
また、作業中の切削用定規の位置を安定させ定規自体の移動を防止する為に、水平片の幅方向自由端側に、作業者が該定規を床面方向或いは壁面方向に押圧しうる押圧面が形成されていることが好ましく、更にこの押圧面は、切削工具や作業者の位置に応じて足の位置を適宜移動し得るように定規の全長にわたって形成しておくのが好ましい。押圧面として具体的には、水平片の上面の他、水平片に厚みがある場合には、正面側（作業者側）の側端面を押圧面として用いることができる。
【００２３】
図１は本発明の切削用定規の一実施形態の構成を示す斜視図、図２は切削用定規を床及び壁に当接させた状態を示す断面図である。
【００２４】
図１に示す切削用定規は、所定の間隔をあけて平行に配置された矩形断面の２つの脚部１に対して、長尺平板状の水平片２を固定し、更に水平片２と同一長さの長尺平板状の起立片３を水平片２の上面２ａの端部に複数のアングル金物４によって固定して構成されている。尚、脚部１、水平片２及び起立片３は木材で構成されている。
【００２５】
そして、脚部１の底面１ｄは床当接面、起立片３の背面３ｃは壁当接面、水平片２の上面２ａ及び幅方向自由端側、即ち正面側の側端面２ｂは押圧面として機能する。また、起立片３の上端面３ａには補強板５が取り付けられ、その上面５ａがガイド面を形成している。補強板５は起立片３の上端面３ａに皿ビス等にて固定されている。
【００２６】
本例の切削用定規を用いた溝の切削手順は以下の通りである。
（１）切削用定規を起立片３の背面３ｃが壁７の表面に当接するようにして床６上に載置する。
（２）作業者の片方の足の踵を床６につけた状態でつま先を水平片２の上面２ａ及び側端面２ｂにかけ、或いは上面２ａに載せて体重をかけて、切削用定規を床６の方向或いは壁面７の方向に押圧し、切削作業中に切削用定規が移動しないようにする。
（３）ルータをガイド面５ａにのせて刃を壁７に当て、ルータをガイド面５ａに沿わせながら操作して切削し溝７ａを形成する。
（４）上記状態で切削し得る範囲の切削作業の完了後、足或いは切削用定規を移動させて上記作業を繰り返す。
【００２７】
尚、図１，図２の例においては、水平片２の上面２ａの端部に起立片３の下端面３ｄを当接させて水平片２と起立片３とを一体化しているが、起立片３の正面３ｂの下方端部に水平片２の背面側の側端面２ｃを当接させて一体化してもかまわない。また、水平片２と起立片３とをアングル金物４で固定しているが、本発明では固定方法は特に限定されず、アングル金物４以外の金物や接着剤等を用いてもかまわない。脚部１と水平片２との固定方法についても同様で、上記には特に固定方法を示していないが、金物や釘、接着剤等、本発明の効果を損なわない手段であれば好ましく用いられる。
【産業上の利用可能性】
【００２８】
本発明の切削用定規は、主として水平な床面から起立した壁面に水平方向に溝を切削する際に用いられるが、水平な線の墨出しにも応用が可能である。
【図面の簡単な説明】
【００２９】
【図１】本発明の切削用定規の一実施形態の一端部の斜視図である。
【図２】図１の切削用定規の断面図である。
【符号の説明】
【００３０】
１  脚部
１ｄ  底面
２  水平片
２ａ  上面
２ｂ  底面
２ｃ、２ｄ  側端面
３  起立片
３ａ  上端面
３ｂ  正面
３ｃ  背面
３ｄ  下端面
４  アングル金物
５  補強板
５ａ  ガイド面
６  床
７  壁
７ａ  溝
【図１】
2009052220.tif 000003
【図２】
2009052220.tif 000004